(57)【特許請求の範囲】
【請求項１】
コンクリート製プレキャストブロックの両端部又はいずれか一方に凹状となる連続した切欠部を形成し、該凹状切欠部の周囲又は端部周囲の平坦部側に弾性体よりなる間挿材を突出取着し、該凹状切欠部の切欠側壁に上方側を開口部とし底側を閉塞した隣接する他のコンクリート製プレキャストブロックの該凹状切欠部の切欠側壁又は平坦部に密着できる周囲が囲繞された可撓性袋の該開口部側を上方に突出させ、底側を該凹状切欠部の最下端部又は該凹状切欠部の任意の位置に配置して該開口部側を上端部で固定し、その後、該凹状切欠部の中心部を隣接する他のコンクリート製プレキャストブロック端部の中心部と一致するように該間挿材により小間隙を有して対向配置し、上記袋の開口部よりその上方部に至るまでモルタルを充填し、袋全体を膨出させて該凹状切欠部の両切欠側壁又は該凹状切欠部の切欠側壁と平坦部の側壁に密着させながら目地上端部に至るまでモルタルを充填してなることを特徴とするコンクリート製プレキャストブロック間の目地の形成方法。
【請求項２】
コンクリート製プレキャストブロックの両端部又はいずれか一方に凹状となる連続した切欠部を形成し、該凹状切欠部は、コンクリート製プレキャストブロックの底部位置より立ち上がった両端部又は一端部の内側位置をその最下端部とし、該凹状切欠部の周囲又は端部周囲の平坦部側に弾性体よりなる間挿材を突出取着し、該凹状切欠部の中心部を隣接する他のコンクリート製プレキャストブロックの端部の中心部と一致するように該間挿材により小間隙を有して対向配置し、該凹状切欠部に、上方側を開口部とし底側を閉塞した該凹状切欠部の切欠側壁又は平坦部に密着できる周囲が囲繞された可撓性袋を、該底側内部に未硬化のモルタルを充填した状態で該開口部側が該コンクリート製プレキャストブロックの上端部より突出するようにして挿入し、上記モルタルを充填した状態のモルタル充填部が該凹状切欠部の最下端部に到達後、該開口部より該袋の上方部に至るまでモルタルを追加充填し、先の未硬化モルタルと一体化して袋全体を膨出させて凹状切欠部の両切欠側壁又は凹状切欠部の切欠側壁と平坦部の側壁に密着させながら目地上端部に至るまでモルタルを充填してなることを特徴とするコンクリート製プレキャストブロック間の目地の形成方法。
【請求項３】
袋への目地上端部に至るまでモルタルの充填後、コンクリート製プレキャストブロック相互の前面壁及び／又は後面壁に跨って連結プレートを掛け渡し固定してなることを特徴とする請求項１又は２記載のコンクリート製プレキャストブロック間の目地の形成方法。
【請求項４】
凹状切欠部は、コンクリート製プレキャストブロックの両端部又は一端部の複数個所にわたって設けてなることを特徴とする請求項１乃至３のいずれか記載のコンクリート製プレキャストブロック間の目地の形成方法。
【請求項５】
凹状切欠部は、コンクリート製プレキャストブロックの両端部又は一端部の位置に縦方向に設け、横方向にも別の凹状切欠部を連続的又は断続的に設けてなることを特徴とする請求項１乃至４のいずれか記載のコンクリート製プレキャストブロック間の目地の形成方法。
【発明の詳細な説明】
【技術分野】
【０００１】
本発明は、コンクリート製プレキャストブロック間に配置した可撓性の袋へのモルタルの充填により目地を形成する方法に関するものである。
【背景技術】
【０００２】
従来より、コンクリート製プレキャストブロック間の目地構造として、大きく分けて下記する２種類の性能が求められていた。その第一は、水密性を保持することである。目地構造は、コンクリート製プレキャストブロック相互の継目に位置することになるので、当該箇所への雨水の浸入防止やそれによる劣化防止を図らなくてはならず、その手段としてウレタン性のスポンジやゴム、防水性モルタル等を継目となる隙間に詰めて使用していた。
【０００３】
第二として、コンクリート製プレキャストブロックは長手方向に連続して並設される構築物となるので、横方向から力が加わった際、該コンクリート製プレキャストブロック単体においては、その自重や強度及び設置面との摩擦抵抗によりその力に対抗することが求められ、並設することによって生じる目地には、強度の有る材料により一体化を図ることや該コンクリート製プレキャストブロックの端部に凹凸部を形成して相互に嵌合させて一体化を図ること等により、外力が該構築物の直交方向や斜め方向から加わってもブロックが移動しにくい構造としていた。
【０００４】
また、例えば、道路の縁側に設けるコンクリート製防護柵は、車両の衝突により極めて大きな外力を受ける場合があり、強度の有る目地材の使用や端部の凹凸部による嵌合に加え、予めコンクリートに圧縮力を加えてプレストレスコンクリートとするためにＰＣ緊張する手段が採用されている。
【０００５】
更に、仮設用コンクリート製防護柵等の場合、そのコンクリート製プレキャストブロックを簡単な作業で迅速に設置できること及びそれらの部材に損傷を与えずに迅速に撤去することが求められるため、モルタルの充填作業や撤去時の取り除き作業に手間がかかるモルタル充填による目地構造を省略して空隙のままとし、ブロック相互は鋼板を掛け渡しての固定やブロックの端部に形成した凹凸部の嵌合のみにより行うことが多かった。
【０００６】
他方、図１０に示す下記する特許文献１は、コンクリートブロックＡの端面に円弧状の凹部Ｂを形成し、対向する他のコンクリートブロックＡ´の端面の凹部Ｂ´に平坦状物の両側縁部Ｃを該コンクリートブロックＡ´に間隔をもって埋め込んで固定することにより袋体Ｄとなるように設置し、該袋体Ｄと凹部Ｂ´との間に挿入された充填パイプよりモルタルＦを充填することにより、袋体Ｄが凹部Ｂ側へ膨出し、両凹部Ｂ、Ｂ´で形成された空間全体に該袋体Ｄが拡大してコンクリートブロック相互間の目地を形成するものである。
【０００７】
更に、下記する特許文献２は、防音壁を構成するパネルＧ、Ｇ´間の空間に外方から補強材をあてがって袋状部材Ｈを設置し、該袋状部材ＨにモルタルＩを充填硬化させることでパネルＧ、Ｇ´間相互を一体化させ、防音壁を構築するものである。
【先行技術文献】
【特許文献】
【０００８】
【特許文献１】特開平７−２５９２０２号公報
【特許文献２】特開２００９−６２７７１号公報
【発明の概要】
【発明が解決しようとする課題】
【０００９】
上記特許文献１にあっては、袋体Ｄは、一般的な予め周囲が囲まれた袋体を意味するものではなく、一方の側面全体が欠如している、いわゆる平坦な平面状の布であり、その両端部をコンクリートブロックに埋め込んで固定し、その内側にモルタルＦを充填したときに該布が膨出し、結果として一側がコンクリート面となる袋体Ｄを形成する技術である。従って、該袋体Ｄを形成する当初開口されていた側面に位置する側に充填されたモルタルＦは、コンクリートブロックＡ´の端面の凹部Ｂ´の露出コンクリート面に付着固定されることになり、それらの解体時においては、従来のものと同様、ブロックから硬化したモルタルを取り除く作業が必要となるものであった。
【００１０】
他方、上記特許文献２は、パネルＧ、Ｇ´間の空間に袋状部材Ｈを保持するために該袋状部材Ｈの一側部側全面に袋保持部材Ｊを固定保持させておくもので、且つ、モルタルＩの硬化後には、該袋保持部材Ｊを目地を構成するためのパネルＧ、Ｇ´及び床スラブＫから取り外すと同時に、袋状部材Ｈからも引き剥がす作業が必要となる。それらは目地形成において別途の余分な作業となり、且つ、パネルＧ、Ｇ´の背面側に回り込んで行う作業で、そのような作業のできない背面側に余裕のない本発明の防護柵やコンクリートカルバートのような施工現場では採用できない方法であった。
【００１１】
上記の通り、従来のコンクリート製プレキャストブロック相互を連結した構築物では、外力が加わった場合のことを考え、初期抵抗力を増加するためにブロックの強度、重量及び設置面との摩擦抵抗力を高めることにより衝撃対応力としていた。
【００１２】
更に、ＰＣ緊張とブロック間の凹凸嵌合部の剪断抵抗力等を有効に働かせる目地を用い、複数のブロックを一体化させることにより、ブロックを単体で用いる場合と比較して大きな抵抗力を持たせる方法を採用していた。
【００１３】
上記構成によるコンクリート製プレキャストブロック相互の連結方法は、交通量の多い道路等では据え付けのために多くの時間を費やし、そのための交通規制により渋滞が生じたり、場合によっては、通行止めとせざるを得なかったりし、大きな影響を与えていた。また、主として恒久用構築物として構築されており、構築後に移設したり撤去する仮設用構築物として、又は両者の併用構築物として短時間に作業を終了させることを考慮して構成されることはなかった。
【００１４】
本発明は、上記欠点を解決したもので、コンクリート製プレキャストブロック間の目地を素早く簡単に形成できると同時に、恒久用以外にもコンクリート製プレキャストブロックを傷めることなく迅速に移設や撤去できる仮設用としての使用も可能としたものである。
【課題を解決するための手段】
【００１５】
本発明は、コンクリート製プレキャストブロックの両端部又はいずれか一方に凹状となる連続した切欠部を形成し、該凹状切欠部の周囲又は端部周囲の平坦部側に弾性体よりなる間挿材を突出取着し、該凹状切欠部の切欠側壁に上方側を開口部とし底側を閉塞した隣接する他のコンクリート製プレキャストブロックの該凹状切欠部の切欠側壁又は平坦部に密着できる周囲が囲繞された可撓性袋の該開口部側を上方に突出させ、底側を該凹状切欠部の最下端部又は該凹状切欠部の任意の位置に配置して該開口部側を上端部で固定し、その後、該凹状切欠部の中心部を隣接する他のコンクリート製プレキャストブロック端部の中心部と一致するように該間挿材により小間隙を有して対向配置し、上記袋の開口部よりその上方部に至るまでモルタルを充填し、袋全体を膨出させて該凹状切欠部の両切欠側壁又は該凹状切欠部の切欠側壁と平坦部の側壁に密着させながら目地上端部に至るまでモルタルを充填してなるコンクリート製プレキャストブロック間の目地の形成方法を特徴とする。
【００１６】
また、コンクリート製プレキャストブロックの両端部又はいずれか一方に凹状となる連続した切欠部を形成し、該凹状切欠部は、コンクリート製プレキャストブロックの底部位置より立ち上がった両端部又は一端部の内側位置をその最下端部とし、該凹状切欠部の周囲又は端部周囲の平坦部側に弾性体よりなる間挿材を突出取着し、該凹状切欠部の中心部を隣接する他のコンクリート製プレキャストブロックの端部の中心部と一致するように該間挿材により小間隙を有して対向配置し、該凹状切欠部に、上方側を開口部とし底側を閉塞した該凹状切欠部の切欠側壁又は平坦部に密着できる周囲が囲繞された可撓性袋を、該底側内部に未硬化のモルタルを充填した状態で該開口部側が該コンクリート製プレキャストブロックの上端部より突出するようにして挿入し、上記モルタルを充填した状態のモルタル充填部が該凹状切欠部の最下端部に到達後、該開口部より該袋の上方部に至るまでモルタルを追加充填し、先の未硬化モルタルと一体化して袋全体を膨出させて凹状切欠部の両切欠側壁又は凹状切欠部の切欠側壁と平坦部の側壁に密着させながら目地上端部に至るまでモルタルを充填してなるコンクリート製プレキャストブロック間の目地の形成方法を特徴とする。
【００１７】
更に、袋への目地上端部に至るまでモルタルの充填後、コンクリート製プレキャストブロック相互の前面壁及び／又は後面壁に跨って連結プレートを掛け渡し固定してなるコンクリート製プレキャストブロック間の目地の形成方法を特徴とする。
【００１９】
また、凹状切欠部は、コンクリート製プレキャストブロックの両端部又は一端部の複数個所にわたって設けてなるコンクリート製プレキャストブロック間の目地の形成方法を特徴とする。
【００２０】
更に、凹状切欠部は、コンクリート製プレキャストブロックの両端部又は一端部の位置に縦方向に設け、横方向にも別の凹状切欠部を連続的又は断続的に設けてなるコンクリート製プレキャストブロック間の目地の形成方法を特徴とする。
【発明の効果】
【００２２】
本発明のコンクリート製プレキャストブロック間の目地の形成方法によれば、仮設設置の場合でも、設置するブロック間の凹状切欠部に可撓性袋を配置し、該可撓性袋の中にモルタルを充填することで、車が衝突した際に、従来はこの初期衝撃をブロック間に掛け渡した鋼板を介して他のブロックに衝撃が伝わるのが主であったが、目地部の剪断抵抗力によって隣接するブロックに衝撃を伝えることができ、複数のブロックで初期衝撃を受けることが可能となった。
【００２３】
また、ブロック間の凹状切欠部に可撓性袋を配置し、該可撓性袋の中にモルタルを充填することで、該凹状切欠部を構成する側壁に密着した目地を素早く簡単に形成することが可能となった。
【００２４】
更に、袋は、可撓性を有しているので、コンクリート製プレキャストブロック並設時の目地となる凹状切欠部の周囲の平坦部間側にも袋内のモルタル圧により該袋を外方へ膨らませることができ、目地として水密性を確保できると同時に、凹状切欠部の各々の側壁に袋体が密着した状態で一体化することができ、袋の材料や外側壁の表面形状による摩擦係数の増加、袋との接触面積の増加、両凹状切欠部によって形成される大きな空間を充填することになるモルタル量の増加等により目地構造部の強度を増加させることが可能となった。
【００２５】
また、該コンクリート製プレキャストブロックの移設や撤去するに際し、目地のモルタルの削りや清掃が必要なく、且つ、ブロックに損傷を与えることなく該ブロックをきれいな状態で再利用することが可能となった。
【００２６】
更に、仮設用コンクリート製プレキャストブロックの場合、両端部にモルタルが付着している状態で所定場所へ移動させることも多かったが、それらモルタルが無い状態で作業することができるので、吊り荷重の負荷を少なくして作業することが可能となった。
【図面の簡単な説明】
【００２７】
【図１】本発明のコンクリート製プレキャストブロック間の目地の形成方法によって構築された防護柵の平面図。
【図２】（ａ）本発明のコンクリート製プレキャストブロック間の目地の形成方法の実施例を示すブロック端部の斜視図、（ｂ）同他の実施例のブロック端部の側面図。
【図３】（ａ）乃至（ｅ）ブロック間の目地を形成する方法の工程を示す側面図、（ｆ）完成した目地の平面図。
【図４】（ａ）乃至（ｄ）目地の位置を示す防護柵に採用した例のブロック端部の側面図。
【図５】目地の位置を示すボックスカルバートに採用した例のブロック端部の側面図。
【図６】（ａ）本発明によって完成したコンクリート製プレキャストブロックによる構築物の実施例の正面図、（ｂ）同平面図。
【図７】本発明のコンクリート製プレキャストブロック間の目地の形成方法の他の実施例を示すブロック端部の斜視図。
【図８】（ａ）、（ｂ）ブロック間の目地を形成する方法の他の実施例の工程を示す側面図。
【図９】本発明のコンクリート製プレキャストブロック間の目地の形成方法の他の実施例を示す施工後の平面図。
【図１０】コンクリートブロックの連結部の従来例を示す平面図。
【図１１】コンクリートブロックの連結部の他の従来例を示す斜視図。
【発明を実施するための形態】
【００２８】
以下、本発明の実施の形態を図面に基づいて説明する。
【実施例１】
【００２９】
図１は、本発明のコンクリート製プレキャストブロック間の目地の形成方法によって構築されたコンクリート製プレキャストブロックを長手方向に延設した状態の防護柵の実施例を示す平面図である。
【００３０】
コンクリート製プレキャストブロック（以下、単にブロックという）１の単体の両端部２には、凹状の連続した所定長さの切欠部３を形成している。該凹状切欠部３は、目地の一部を形成するもので、図２（ａ）の斜視図に示すように、該ブロック１の両端部となる中心部に断面半円形状又は断面半楕円形状のブロック１の上端部４から垂直方向に連続した所定長の溝部を形成し、ブロック１の内部、例えば、基盤側等に底部５を形成した有底溝部となるように該凹状切欠部３を形成している。
【００３１】
該両端部の凹状切欠部３の周囲の平坦部６には、連続設置することになる隣接する他のブロック１´との間に所定の寸法、例えば１０ｍｍ乃至２０ｍｍの間隔を形成するための弾性体よりなる間挿材７を突出取着している。弾性体としてはスポンジ、発泡体、ゴム等の防水性の有る適宜な材料が選択される。該間挿材７は、ブロック１、１´、…の据え付け時にブロック相互が接触して欠損が生じることを防止する役割をすることにもなる。
【００３２】
上記ブロック１の基盤側の底部５には、該ブロック１、１´、…相互を連結した際、両ブロック１、１´の切欠部底部５間に生じる小間隔Ｗを閉鎖すべく、該凹状切欠部３の横幅寸法より長い横方に延びた間挿材７を突出取着する。これにより該凹状切欠部３の鉛直長さが長く形成してあっても、図２（ｂ）に示すように、任意の長さの位置に袋の配置位置を調整することが可能である。また、該間挿材７が無くても凹状切欠部３に配置された袋８へのモルタルの充填により袋８側からブロック１の側壁に押圧力が作用し、該袋８が落下することはない。
【００３３】
図３（ａ）に示すように、上記ブロック１に該間挿材７を圧縮させながら隣接設置する他のブロック１´を両者の凹状切欠部３の中心位置が一致するように小間隔Ｗを有して対向配置する。
【００３４】
その後、図３（ｂ）乃至（ｅ）に示すように、ブロック１及びそれに隣接する他のブロック１´、…との間に生じる空間に可撓性の有る袋８を挿入配置することになる。該袋８は、有底９とし、上方側に開口部１０が設けられ、袋８の膨出時に、ブロック１及びそれに隣接する他のブロック１´、…の各々の凹状切欠部３による空間Ｓ１＋Ｓ２及び両者間の小間隔Ｗと該凹状切欠部３の開口部側縦長とによって形成される空間Ｓ３並びに該切欠部３から可撓性袋８の弾力性により平坦部６側へ小突出し、図３（ｆ）に示すように、空間Ｓ４、Ｓ５を充填し、それらにより上記空間Ｓ１乃至Ｓ５全体を埋めることになる。
【００３５】
該袋８は、上記空間を構成する各々のコンクリート壁面に密着し、該袋８とそれらが一体化するように、該袋８の外側は凹凸状を形成して摩擦抵抗を大きくしたもの及び／又は摩擦係数の大きな材料を使用して両者の付着強度を増加させている。具体的には静摩擦係数及び動摩擦係数のいずれも大きなゴム系の材料（摩擦係数１．３〜１．５）が最良である。また、それら材料よりなる袋の表面側に上記した凹凸状や微粒子を吹き付けたものを使用することによりコンクリート面との間に大きな摩擦抵抗力を付与することができる。
【００３６】
該袋８は、上記空間Ｓ１乃至Ｓ５に挿入する前に、開口部１０より初期モルタルＭ１を充填する。該初期モルタルＭ１は、該空間Ｓ１乃至Ｓ５に挿入するための該袋８に重量付加して入れ易くすることと、図３（ｃ）に示すように、該袋８を空間Ｓ１乃至Ｓ４の底部５の位置まで到達させるためである。また、図３（ｄ）に示すように、間挿材７の位置を凹状切欠部３の底部５の位置より上方に設けることにより、その部分を袋８の底部位置とすることができる。従って、予め長めの凹状切欠部３を形成しておけば該袋８の長さを適宜選択して採用することができる。
【００３７】
空間Ｓ１乃至Ｓ５に配置した袋８は、その開口部側がブロック１の上端部４より突出するようにし、図３（ｅ）に示すように、袋８の該開口部１０より袋８内に追加モルタルＭ２を充填し、場合によっては、上方部より加圧や撹拌或いは押し込み等により、先の初期モルタルＭ１と追加モルタルＭ２とを一体化し、該袋８の周囲を、図３（ｆ）に示すように、空間Ｓ１乃至Ｓ５の全体を埋め尽くし及び突出させ、袋８内にモルタルが行きわたらない空隙部が生じないようにする。
【００３８】
上記凹状切欠部３は、上記実施例のように、ブロック１の端部２の縦方向中心部に設けることはもとより、図４（ａ）に示すように、ブロック１の前面及び背面の脚部１１側に各々縦方向に他の凹状切欠部１２、１２´を設けたり、図４（ｂ）に示すように、脚部１３の底面と平行となる内側位置に横方向の他の凹状切欠部１４を設けたり、図４（ｃ）に示すように、脚部１５の前面及び背面に傾斜した他の凹状切欠部１６、１６´を設けることができる。
【００３９】
また、図４（ｄ）に示すように、脚部１７を背面側の後方へ突出させたＴ型又はＬ型のブロックにおいて、前面の凹状切欠部１８に加え、その後方の背面側へ延出した脚部１７に凹状切欠部１８´を設けることができる。
【００４０】
上記では、防護柵に沿った実施例により説明したが、図５に示すように、ボックスカルバート１９の端部に形成したコ形に回した凹状切欠部２０を形成し、上記同様の袋へモルタル挿入手段によるブロック間の目地部の形成方法とすることができる。
【００４１】
上記実施例において、水平位置或いはそれに近い状態の凹状切欠部の場合は、袋の底側に紐を固定し、その紐を誘導手段として反対側から牽引することにより、袋を回し込むことができる。また、下記する実施例２の場合は、そのようにする必要はなく、凹状切欠部近接位置の平坦部に袋の一部を取り付ければよい。
【００４２】
また、上記実施例では、凹状切欠部をブロックの両端部の位置に設けることによりブロック相互を連結したときに目地部が円柱体形状に近い形状となる実施例に基づいて説明したが、ブロックの一端部側にのみ凹状切欠部を形成し、ブロック相互を連結したときに該目地部が半割円柱体形状に近い状態となるように形成することもできる。
【００４３】
上記防護柵やボックスカルバートのようなコンクリート製プレキャストブロック相互を目地を形成しながら連続形成して所定の恒久用構築物又は／及び仮設用構築物を構築していくことになる。また、図６（ａ）、（ｂ）に示すように、目地完成後において、ブロックの前面壁及び背面壁にブロック相互に跨る連結プレートＰを脚部側及び立ち上がり壁部側に取着することにより外部からの強い衝撃に十分耐えることができる構築物を完成させることができる。
【００４４】
また、それらブロック１、１´、…を撤去するとき或いは撤去したものを再利用するときには、該ブロック１、１´、…間の目地モルタルはブロック１、１´、…の凹状切欠部に直接付着していないのでブロック１、１´、…端部におけるモルタルの削りや清掃が必要なく、また、損傷を与えることもなく、該ブロック１、１´、…の端部側をきれいな状態で再利用することが可能となった。
【００４５】
更に、目地のみを別の塊として簡単に取り除くことができるので、ブロックの移動に際して事前に撤去しておくことができるので、吊り荷重の負荷を予め少なくして作業することが可能となった。
【実施例２】
【００４６】
図７は、本発明のブロック間の目地の形成方法を示す他の実施例である。
ブロック２１の両端部２２には、凹状の連続した所定長さの切欠部２３を形成している。該凹状切欠部２３は、目地を形成するもので、ブロック２１の両端部となる中心部に断面半円形状又は断面楕円形状のブロック２１の上端部２４から垂直方向に連続した所定長の溝部を形成し、ブロック２１の内部、例えば基盤側等に底部２５を形成した有底溝部となるように形成している。
【００４７】
また、該両端部の凹状切欠部２３の周囲の平端部２６には、連続設置することになる隣接する他のブロック２１´との間に所定の寸法、例えば１０ｍｍ乃至２０ｍｍの間隔を形成するための実施例１と同様の弾性体よりなる間挿材２７を突出取着している。
【００４８】
上記ブロック２１の基盤側となる凹状切欠部２３の底部２５には、該ブロック２１、２１´、…相互を連結した際、両ブロック２１、２１´間の凹状切欠部底部２５間に生じる小間隔Ｗを閉鎖すべく該凹状切欠部２３の幅寸法より長い横方向に延びた間挿材２７を突出取着する。
【００４９】
該凹状切欠部２３には袋２８を取り付けることになるが、下端部となる袋２８の底２９をブロック２１の底部２５に固定し、上端部となる開口部３０をブロック２１の上端部２４より突出させて凹状切欠部２３の最奥壁部側に位置することになる開口部３０側のみを上端部２４において粘着テープ等により固定し、他方側は非固定状態の拡開自在となるようにし、袋２８の側部となる対向する側壁部３１、３２を凹状切欠部２３の垂直方向の端縁部の平端部２６に取着して予め袋２８を該凹状切欠部２３に取着しておく。
【００５０】
その後、図８（ａ）に示すように、上記ブロック２１に、該間挿材２７を圧縮させながら隣接設置する他のブロック２１´を両者の凹状切欠部２３、２３´の中心位置が一致するように小間隔Ｗを有して対向配置する。
【００５１】
その後、図８（ｂ）に示すように、袋２８の上端部２４から突出している固定されていない他端側の非固定部側の開口部３０´を隣接するブロック２１´の凹状切欠部２３´側へ拡開し、その開口部３０、３０´より袋２８内へモルタルＭを充填することになる。
【００５２】
ブロック２１、２１´間には、上記実施例１と同様、目地空間に配置した袋２８に万遍なく充填したモルタルＭにより該袋２８を膨出させ、空間全体を充満させることになる。
【００５３】
上記袋２８にはモルタルによる充填圧により外方に向けて強い圧力が作用し、大きな摩擦抵抗力が生じることになる。また、上記実施例１と同様の摩擦係数の大きな材料により袋２８を形成しているので、該凹状切欠部２３の側壁面との間に大きな摩擦力が作用し、これによっても大きな抵抗力を生じさせることができる。
【００５４】
上記実施例では、凹状切欠部２３が一列の縦方向のみの例を示したが、上記実施例１同様、様々な位置において凹状切欠部を採用し、又は、ブロックのいずれか一方側にのみ凹状切欠部を形成してブロック相互の目地構造として使用することのできる工法である。
【実施例３】
【００５５】
図９は、本発明のブロック間の目地の形成方法を示す他の実施例である。
上記実施例１、２の目地の形成方法における目地を、例えば、厚いコンクリート製プレキャストブロック３１の場合、端部３２の中央部のみの凹状切欠部３３では、十分な目地を形成できない場合、中央部に大きな凹状切欠部３３を形成し、その両側部側の平行方向に小さな凹状切欠部３４、３５を形成し、該小凹状切欠部３４を通常のモルタル目地として雨水の浸入を二重、三重に防止することを可能とすることができる。
【００５６】
上記凹状切欠部３４には小量のモルタル充填或いは乾式の目地材が挿入配置されることになるので、ブロック３１の取り除きの際、該目地のブロック端部への付着物は小量であり、削りや清掃を簡単に行うことができる。
【実施例４】
【００５７】
上記実施例１乃至３では袋による目地部をブロックの中央部のみとしたが、図４（ａ）乃至（ｄ）及び図５と同様、厚手のブロックの場合、図９と同様、目地を並設して複数設け、上記実施例１、２と同様の目地形成方法により目地構造を得ることも可能である。
【符号の説明】
【００５８】
１、２１、３１                            コンクリート製プレキャストブロック
２、２２                                  端部
３、１２、１４、１６、１８、２０、２３    凹状切欠部
４、２４                                  上端部
５、２５                                  底部
６、２６                                  平坦部
７、２７                                  間挿材
８、２８                                  袋
９                                        底
１０                                      開口部
１１、１３、１５、１７                    脚部
１９                                      ボックスカルバート
【要約】      （修正有）【課題】コンクリート製プレキャストブロック間の目地を素早く簡単に形成できると同時に、恒久用以外にもコンクリート製プレキャストブロックを傷めることなく迅速に移設や撤去できる仮設用として使用も可能な目地を形成する方法を提供する。【解決手段】コンクリート製プレキャストブロック１の両端部又はいずれか一方に凹状切欠部３を形成し、その切欠部３の周囲又は端部周囲の平坦部側に弾性体よりなる間挿材７を突出取着し、凹状切欠部３の中心部を隣接する他のコンクリート製プレキャストブロック１の端部の中心部と一致するように間挿材７により小間隙を有して対向配置し、凹状切欠部３に、上方側を開口部とし底側を閉塞した凹状切欠部３の切欠側壁又は平坦部に密着できる内側寸法を有する周囲が囲繞された可撓性袋を、底側内部に未硬化のモルタルを充填した状態で挿入し、開口部より該袋の上方部に至るまでモルタルを追加充填する。【選択図】図２【図１】
0005863132.tif 000002
【図２】
0005863132.tif 000003
【図３】
0005863132.tif 000004
【図４】
0005863132.tif 000005
【図５】
0005863132.tif 000006
【図６】
0005863132.tif 000007
【図７】
0005863132.tif 000008
【図８】
0005863132.tif 000009
【図９】
0005863132.tif 000010
【図１０】
0005863132.tif 000011
【図１１】
0005863132.tif 000012